(57)【要約】【課題】  延長管と屈曲管との間の接続部のガタつきや破損を防止できる電気掃除機の延長管の接続構造を提供すること。【解決手段】  手元パイプ２を、延長管１の先端部分に外嵌する中パイプ２１と、この中パイプ２１を収容する手元パイプ本体２２とで形成する。中パイプ２１は、延長管１に外嵌する筒状の嵌合部２１ａと、この嵌合部２１ａに連なると共に湾曲した湾曲部２１ｂを有する。手元パイプ本体２２は、中パイプ２１に連通するホース連結管３の一端を、回動自在に接続すると共に、中パイプ２１を収容する部分から枝分かれしてホース連結管３の軸と略平行に延びる把手２３を有する。中パイプ２１を、手元パイプ本体２２を形成する樹脂の硬度よりも大きい硬度を有する樹脂で形成する。延長管１の先端部分を、中パイプの嵌合部２１ａで外嵌し、この中パイプ２１を手元パイプ本体２２内に収容するので、延長管１と手元パイプ２とを強固に接続できる。【選択図】図１
2006158742.tif 000002
【特許請求の範囲】
【請求項１】
金属製の延長管と、
把手を有すると共に、湾曲部を有する通風路を内部に有し、上記延長管の先端が上記通風路の湾曲部の略直前に位置するように、上記延長管の先端部分に外嵌する樹脂製の屈曲管と、
上記屈曲管の上記延長管に外嵌する側と逆側の端に一端が接続されると共に、他端にホースの先端部分を収容するホース収容部が形成されたホース連結部と
を備えることを特徴とする電気掃除機の延長管の接続構造。
【請求項２】
請求項１に記載の電気掃除機の延長管の接続構造において、
上記屈曲管の通風路の湾曲部は、内側面が滑らかに屈曲していることを特徴とする電気掃除機の延長管の接続構造。
【請求項３】
請求項１に記載の電気掃除機の延長管の接続構造において、
上記屈曲管は、上記延長管の先端部分に外嵌すると共に、上記通風路の湾曲部を形成する中パイプと、上記中パイプを収容すると共に上記把手部を有する屈曲管本体とを有することを特徴とする電気掃除機の延長管の接続構造。
【請求項４】
請求項３に記載の電気掃除機の延長管の接続構造において、
上記屈曲管の中パイプは、上記屈曲管本体を形成する樹脂の硬度よりも高い硬度を有する樹脂で形成されていることを特徴とする電気掃除機の延長管の接続構造。
【請求項５】
請求項１に記載の電気掃除機の延長管の接続構造において、
上記屈曲管は、上記延長管に設けられた貫通孔に係止する係止部を有し、
上記係止部と上記延長管との間と、上記屈曲管の上記延長管に外嵌する側の端部と上記延長管との間との両方をシールするシール部材を備えることを特徴とする電気掃除機の延長管の接続構造。
【発明の詳細な説明】
【技術分野】
【０００１】
本発明は、電気掃除機の延長管の接続構造に関し、例えば一端に電気掃除機本体が接続される延長管の他端と屈曲管との接続構造に関する。
【背景技術】
【０００２】
従来、電気掃除機の延長管の接続構造としては、一端が吸込口体又は電気掃除機本体に接続される延長管の他端に、把手を有する屈曲管の一端を接続し、この屈曲管の他端にホースを接続したものがある（例えば特開２００２−２０９８０３号公報：特許文献１）。
【０００３】
上記延長管の他端と、上記屈曲管の一端とは、この屈曲管側に設けられたクランプで着脱可能に接続されている。
【０００４】
しかしながら、上記従来の電気掃除機の延長管の接続構造は、耐久性が比較的悪いという問題がある。すなわち、上記延長管の一端が電気掃除機本体に接続された場合、重量が比較的大きい上記電気掃除機本体が、上記屈曲管の把手を把持する操作者によって、延長管を介して押し引きされるので、上記延長管と屈曲管との接続部に、比較的大きい応力が生じる。しかしながら、上記延長管と屈曲管との接続部は、上記クランプで接続しているのみであるので、比較的大きい応力によってガタつきが生じ易いという問題がある。さらに、電気掃除機が長期に亘って使用されて、比較的大きい応力を繰り返し受けた結果、上記延長管と屈曲管との接続部が破損する虞がある。
【特許文献１】特開２００２−２０９８０３号公報
【発明の開示】
【発明が解決しようとする課題】
【０００５】
そこで、本発明の課題は、延長管と屈曲管との間の接続部のガタつきや破損を防止できる電気掃除機の延長管の接続構造を提供することにある。
【課題を解決するための手段】
【０００６】
上記課題を解決するため、本発明の電気掃除機の延長管の接続構造は、
金属製の略一直線の延長管と、
把手を有すると共に、湾曲部を有する通風路を内部に有し、上記延長管の先端が上記通風路の湾曲部の略直前に位置するように、上記延長管の先端部分に外嵌する樹脂製の屈曲管と、
上記屈曲管の上記延長管に外嵌する側と逆側の端に一端が接続されると共に、他端にホースの先端部分を収容するホース収容部が形成されたホース連結部と
を備えることを特徴としている。
【０００７】
上記構成によれば、上記金属製の延長管の先端部分に、上記屈曲管が、この屈曲管の通風路の湾曲部の略直前に上記延長管の先端が位置するように外嵌するので、この延長管の先端部分が、上記屈曲管に強固に接続される。したがって、例えば、上記延長管の上記屈曲管に外嵌された側と反対側の端に電気掃除機本体が接続され、上記屈曲管の把手が操作者に把持されて、上記電気掃除機本体が押し引きされる場合であっても、上記延長管と上記屈曲管との接続部にガタつきや破損が生じることが、効果的に防止される。
【０００８】
また、上記屈曲管は、上記通風路が湾曲部を有するので、上記延長管とホースとの間を湾曲させることができる。したがって、上記延長管の上記屈曲管に外嵌された側と反対側の端に、電気掃除機本体や吸込口体が接続されると共に、上記屈曲管の把持部が操作者によって把持されて掃除動作が行われる場合、良好な操作性を得ることができる。
【０００９】
また、屈曲加工が比較的難しい上記金属製の延長管に、上記湾曲部が比較的容易に成形される樹脂製の屈曲管を接続するので、上記延長管とホースとの間を湾曲させる電気掃除機の延長管の接続構造を、容易に形成することができる。
【００１０】
一実施形態の電気掃除機の延長管の接続構造は、上記屈曲管の通風路の湾曲部は、内側面が滑らかに屈曲している。
【００１１】
上記実施形態によれば、上記屈曲管の通風路の湾曲部は、内側面が滑らかに屈曲しているので、この通風路を流れる吸い込み空気の流動抵抗を、効果的に低減することができる。
【００１２】
一実施形態の電気掃除機の延長管の接続構造は、上記屈曲管は、上記延長管の先端部分に外嵌すると共に、上記通風路の湾曲部を形成する中パイプと、上記中パイプを収容すると共に上記把手部を有する屈曲管本体とを有する。
【００１３】
上記実施形態によれば、上記中パイプは、上記延長管の先端部分に外嵌すると共に、上記屈曲管本体に収容されるので、上記延長管と屈曲管とを強固に接続することができる。したがって、上記延長管が比較的大きい力を受けても、この延長管と屈曲管との間のガタつきや破損の虞を、効果的に防止できる。
【００１４】
また、上記延長管の先端部分に外嵌する中パイプを、上記屈曲管本体と別体に形成できるので、この中パイプと屈曲管本体とで構成される屈曲管を容易に製造できる。
【００１５】
一実施形態の電気掃除機の延長管の接続構造は、上記屈曲管の中パイプは、上記屈曲管本体を形成する樹脂の硬度よりも高い硬度を有する樹脂で形成されている。
【００１６】
上記実施形態によれば、上記延長管に外嵌する中パイプの硬度を、この中パイプを収容する屈曲管本体の硬度よりも高くするので、屈曲管の全体を比較的高い硬度の樹脂で製造するよりも、上記延長管と屈曲管との接続を強固にしつつ、屈曲管のコストダウンを図ることができる。
【００１７】
一実施形態の電気掃除機の延長管の接続構造は、上記屈曲管は、上記延長管に設けられた貫通孔に係止する係止部を有し、
上記係止部と上記延長管との間と、上記屈曲管の上記延長管に外嵌する側の端部と上記延長管との間との両方をシールするシール部材を備える。
【００１８】
上記実施形態によれば、上記屈曲管が有する係止部によって、上記屈曲管と延長管とが、互いに回動不可かつ分離不可に接続される。上記シール部材によって、上記係止部と延長管との間と、上記屈曲管の上記延長管に外嵌する側の端部と上記延長管との間との両方が、シールされる。したがって、少ない部品点数で延長管の接続構造を構成することができると共に、上記延長管と屈曲管との間の吸い込み空気の漏れを防止することができる。
【発明の効果】
【００１９】
以上のように、本発明の電気掃除の延長管の接続構造は、金属製の延長管の先端部分に、屈曲管が、この屈曲管の通風路の湾曲部の略直前に上記延長管の先端が位置するように外嵌するので、この延長管の先端部分によって上記延長管と屈曲管とを強固に接続することができ、例えば、上記延長管の上記屈曲管に外嵌された側と反対側の端に電気掃除機本体が接続され、上記屈曲管の把手が操作者に把持されて、上記電気掃除機本体が押し引きされる場合であっても、上記延長管と上記屈曲管との接続部にガタつきや破損が生じることを、効果的に防止できる。
【発明を実施するための最良の形態】
【００２０】
以下、本発明を図示の実施の形態により詳細に説明する。
【００２１】
図１は、本発明の実施形態としての電気掃除機の延長管の接続構造を示す断面図であり、図２は、上記電気掃除機の延長管の接続構造を示す分解斜視図である。
【００２２】
この電気掃除機の延長管の接続構造は、金属製の延長管１と、この延長管１の先端部分に一端が接続された屈曲管としての手元パイプ２と、この手元パイプ２の他端に一端が接続されたホース連結部３とを有する。このホース連結部３の他端は、ホース４の先端部分が連結されるように形成されている。
【００２３】
上記延長管１は、金属の一例としてのアルミニウムで形成されており、略一直線の形状を有する。この延長管１の周面には、貫通孔１１が形成されている。
【００２４】
上記手元パイプ２は、上記延長管１に外嵌する中パイプ２１と、この中パイプ２１を収容する屈曲管本体としての手元パイプ本体２２とを有する。
【００２５】
上記中パイプ２１は、上記延長管１の先端部分に外嵌する筒状の嵌合部２１ａと、この嵌合部２１ａに連なると共に湾曲して通風路の一部を形成する湾曲部２１ｂとを有する。この中パイプ２１および手元パイプ本体２２はいずれも樹脂からなると共に、上記中パイプ２１は、上記手元パイプ本体２２の樹脂の硬度よりも高い硬度を有する樹脂で形成されている。具体的には、上記手元パイプ本体２２を耐衝撃性のＡＢＳ（Acrylonitrile-Butadiene-Styrene）樹脂で形成し、上記中パイプ２１をＰＯＭ（polyoxymethylene；ポリアセタール）樹脂で形成している。
【００２６】
上記中パイプの嵌合部２１ａの周面に、貫通孔２５が形成されている。
【００２７】
上記手元パイプ本体２２の一端には、開口２２ａが形成されており、この開口２２ａに連なる内側面に、上記中パイプ２１を内嵌するように形成している。上記手元パイプ本体２２の内側面には、上記開口２２ａの近傍に、内側に突出する係止部としての突起２５が一体に形成されている。この突起２５が、上記延長管の貫通孔１１と、上記中パイプの貫通孔２５とに係合して、上記延長管１および中パイプ２１が、上記手元パイプ本体２２に対して回動不可かつ分離不可に接続されている。
【００２８】
上記手元パイプ本体２２の内側面と、上記中パイプ２１の外側面との間に、シール部材２７を設けている。このシール部材２７は、上記中パイプの嵌合部２１ａの開口近傍を囲むリング部２７ａと、このリング部２７ａから上記中パイプの嵌合部２１ａの軸方向に延在する舌部２７ｂとを有し、この舌部２７ｂに貫通孔２８が形成されている。この貫通孔２８を、上記手元パイプ本体２２の突起２５が貫通するように形成されている。このシール部材２７は、側面視において概略Ｌ字形を有する。上記シール部材のリング部２７ａによって、上記手元パイプ本体２２の内側面と、上記中パイプの嵌合部２１の開口近傍との間をシールするようにしている。これと共に、上記シール部材の舌部２７ｂによって、上記手元パイプ本体の突起２５と、この突起２５が貫通する中パイプの貫通孔２５との間をシールするようにしている。
【００２９】
また、上記手元パイプ本体２２には、把手２３が一体に形成されている。この把手２３は、上記手元パイプ本体２２の中パイプ２１を収容する部分から、この中パイプ２１の嵌合部２１ａの軸と傾斜する方向に向かって枝分かれすると共に、上記ホース連結部３の軸と略平行に延在している。この把手２３の付け根近傍に、操作スイッチ７が設けられている。この操作スイッチ７に電気的に接続されて手元パイプ本体２２内に配線された図示しない信号線が、ホースに設けられた図示しない信号線を介して、図示しない電気掃除機本体に接続されている。上記操作スイッチ７への操作者の入力に基づいて、上記電気掃除機本体の運転が制御されるようになっている。
【００３０】
上記手元パイプ本体２２の他端には、開口２２ｂが形成されており、この開口２２ｂに連なる内側面に、ホース連結部の手元パイプ連結部３１が収容されている。この手元パイプ連結部３１は、ホース連結部３の一端に形成されており、先端に、この手元パイプ連結部３１の外側面と上記手元パイプ本体２２の内側面とをシールするシール部材３４が設けられている。この手元パイプ連結部３１の外周部には、上記手元パイプ本体２２の内側面に設けられた図示しない突起に係合する係合フランジ３１ａが形成されて、この手元パイプ本体２２に対して周方向に回動自在かつ分離不可に連結されている。
【００３１】
上記中パイプの湾曲部２１ｂの先端と、上記ホース連結部の手元パイプ連結部３１の先端とが、上記手元パイプ本体２２の内側面内で、互いに連通している。
【００３２】
上記ホース連結部３の他端であって、上記手元パイプ本体２２の他端から突出した部分は、内側面に螺旋溝が形成されたホース連結部３２になっている。このホース連結部３２の内側面に、ホース４の先端部分の外周面が係合して、このホース４が連結されるように形成されている。
【００３３】
上記電気掃除機の延長管の接続構造によって、上記延長管１と、中パイプの湾曲部２１ｂと、ホース連結管の手元パイプ連結部３１と、上記ホース４とが連結されて、各々の内側に、吸い込み空気を導く通風路を形成している。この通風路は、上記中パイプの湾曲部２１ｂによって、上記延長管１の先端とホース連結管３の先端との間を、滑らかに湾曲させている。
【００３４】
図３は、上記構成の延長管の接続構造を有する電気掃除機を示す断面図である。この電気掃除機の電気掃除機本体５１に、上記ホース４の上記手元パイプ２に接続された側と逆側の端部が接続されている。また、上記電気掃除機本体５１の上側面に、上記延長管１の上記手元パイプ２に接続された側と逆側の端部が連結されている。この延長管１の電気掃除機本体５１側の端部には、この延長管１に軸方向に摺動自在に外嵌すると共に先端にブラシを有する補助吸込口が設けられている。上記電気掃除機本体５１内には、上記延長管１に連なる本体通風路５２が形成されており、この本体通風路５２は、電気掃除機本体５１の底面に形成された開口５３に連通している。この電気掃除本体５１は、吸い込み空気の流れを生成する電動送風機５５と、電源コードを巻き取るコードリール５６を内蔵している。また、上記電気掃除機本体５１には、吸い込み空気から塵を分離して回収するサイクロン集塵器５８が着脱可能に連結されている。この電気掃除機は、走行車輪を有する図示しない吸込口体が上記開口５３に接続され、上記手元パイプの把手２３が操作者によって把持されて掃除動作を行うアップライト型の掃除機である。
【００３５】
上記サイクロン集塵器５８は、筒状の集塵ケースと６１と、この集塵ケース６１の開口端に連結されたサイクロン本体６２とを有する。このサイクロン本体６２は、上記集塵ケース中に突出する排気筒６４と、この排気筒６４から吸引した空気を濾過するフィルター体６５とを有する。上記集塵ケース１１の電気掃除機本体側の側面には、吸い込み空気を導く開口６６が設けられている。
【００３６】
上記構成の電気掃除機は、以下のように動作する。
【００３７】
まず、この電気掃除機本体５１の底面の開口５３に、吸込口体を接続する。この吸込口体の吸込口が床面に対向した状態で、把手２３が操作者に把持され、電源スイッチがオンされると、この電気掃除機本体１の電動送風５５が起動する。これにより、上記吸込口体、本体通風路５２、延長管１、手元パイプ２、ホース連結部３及び上記ホース４内を吸い込み空気が流れて、上記吸込口体の吸込口から、床面の塵が吸い込まれる。吸い込み空気は、塵と共に、集塵ケース６１の開口６６から集塵ケース６１内に導かれて、この集塵ケース内６１で生成される旋回流によって、上記塵のうちの比較的大きい塵が分離される。比較的大きい塵が分離された吸い込み空気は、上記サイクロン本体６２の排気筒６４を通ってフィルター体６５に導かれ、このフィルター体６５で微小な塵が除去されて、電気掃除機本体５１から排出される。このようにして、電気掃除機による掃除動作が行われる。
【００３８】
一方、家具と壁との間のような狭所の掃除や、壁面や天井のような室の上部の掃除を行う場合、上記延長管１の上記電気掃除機本体５１に接続された側の端部を抜き出して、この延長管１の端部に外嵌する補助吸込口体を、上記延長管１の先端側に突出させる。この助吸込口体を、狭所の床面や、天井面等の被掃除面に臨ませて、この被掃除面の塵を、吸い込み空気と共に、上記補助吸込口体から延長管１、手元パイプ２、ホース連結部３及び上記ホース４を介して電気掃除機本体５１に収集する。
【００３９】
この電気掃除機は、操作者によって把持される上記把手２３が形成された手元パイプ２と、この手元パイプ２に接続された延長管１とを介して、重量が比較的大きい上記電気掃除機本体５１が押し引きされる。したがって、上記延長管１と手元パイプ２との接続部には、比較的大きい応力が生じる。しかしながら、上記延長管１の先端部分には、上記中パイプの嵌合部２１ａが、この外嵌部２１ａに連なる湾曲部２１ｂの略直前に上記延長管１の先端が位置するように、外嵌している。さらに、上記中パイプ２１を手元パイプ本体２２が収容している。また、上記中パイプ２１を、上記手元パイプ本体２２を形成する樹脂の硬度よりも高い硬度の樹脂で形成している。したがって、上記延長管１の先端部分を、上記手元パイプ２に強固に接続することができる。これにより、上記延長管１を介して、重量が比較的大きい上記電気掃除機本体５１が押し引きされるにも拘わらず、上記延長管１と手元パイプ２との接続部にガタつきや破損が生じる不都合を、効果的に防止できる。
【００４０】
また、上記中パイプ２１を、上記手元パイプ本体２２と別体に形成できるので、手元パイプ２を容易に製造できる。
【００４１】
また、上記延長管１と、中パイプの湾曲部２１ｂと、ホース連結管の手元パイプ連結部３１と、上記ホース４との内側に形成された通風路は、上記中パイプの湾曲部２１ｂによって、上記延長管１の先端とホース連結管３の先端との間の部分を滑らかに湾曲させることができる。したがって、上記延長管１に電気掃除機本体５１や吸込口体や補助吸込口体等を接続して、上記手元パイプの把持部２３を操作者が把持して掃除を行う際、操作者は、良好な操作性を得ることができる。
【００４２】
また、上記中パイプの湾曲部２１ｂによって、上記通風路の延長管１の先端とホース連結管３の先端との間の部分を滑らかに湾曲させることができるので、この通風路を流れる吸い込み空気の流動抵抗を、効果的に低減することができる。
【００４３】
また、上記リング部２７ａと舌部２７ｂを有するシール部材２７によって、上記手元パイプ本体２２の内側面と、上記中パイプの嵌合部２１の開口近傍との間と、上記手元パイプ本体の突起２５と、この突起２５が貫通する中パイプの貫通孔２５との間との両方を、シールすることができる。したがって、少ない部品点数で、延長管の接続構造を構成できると共に、延長管１と手元パイプ２との間の吸い込み空気の漏れを防止することができる。
【００４４】
なお、上記手元パイプ２は、上記延長管１に外嵌する中パイプ２１と、この中パイプ２１を収容する手元パイプ本体２２とを有したが、上記中パイプ２１を省略してもよい。すなわち、上記延長管１の先端部分を、手元パイプ本体で直接外嵌してもよい。
【００４５】
また、上記電気掃除機は、サイクロン型でなくてもよい。
【００４６】
また、上記電気掃除機は、アップライト型でなくてもよく、例えば、延長管の先端に吸込口体を取り付けて、この延長管に接続されたホースを介して本体を牽引して掃除を行うキャニスター型の電気掃除機であってもよい。
【図面の簡単な説明】
【００４７】
【図１】本発明の実施形態としての電気掃除機の延長管の接続構造を示す断面図である。
【図２】本実施形態の電気掃除機の延長管の接続構造を示す分解斜視図である。
【図３】本実施形態の延長管の接続構造を有する電気掃除機を示す断面図である。
【符号の説明】
【００４８】
１  延長管
２  手元パイプ
３  ホース連結部
４  ホース
２１  中パイプ
２１ａ  中パイプの嵌合部
２１ｂ  中パイプの湾曲部
２５  係止部
２７  シール部材
２７ａ  シール部材のリング部
２７ｂ  シール部材の舌部
【図１】
2006158742.tif 000003
【図２】
2006158742.tif 000004
【図３】
2006158742.tif 000005